(57)【要約】      （修正有）【課題】テストストリップ評価中に不注意にカバーを開くことを防ぎ、外乱の影響を受けないようにした迅速診断装置の提供。【解決手段】テストストリップ３１は、迅速診断装置の内部で評価が行われる。装置ハウジング上にはハウジング開口部が形成されており、これは、カバーまたはフラップ要素により閉じることができる。このカバーまたはフラップ要素にはロック用本体８が取り付けられている。このロック用本体は、クリップ部分17を有するバネ要素として形成されており、このクリップ部分は、テストストリップが迅速診断装置の押し込み用開口部の中に押し込まれたとき、上記バネ要素をロックする位置24をとる。【選択図】図４
2005172821.tif 000002
【特許請求の範囲】
【請求項１】
装置ハウジング(2)を有する迅速診断装置であって、その装置ハウジング上には、迅速診断装置(1)の内部で評価が行われるテストストリップ(31)のための押し込み用開口部(4)が設けられており、またその装置ハウジング(2)上には、カバーまたはフラップ要素(3)により閉じることができるハウジング開口部(30)が形成されており、そのカバーまたはフラップ要素(3)にはロック用本体(8)が取り付けられている迅速診断装置において、ロック用本体(8)が、クリップ部分(17)を有するバネ要素として形成されており、そのクリップ部分が、テストストリップ(31)が押し込み用開口部(4)の中に押し込まれたときそのバネ要素をロックする位置(24)をとることを特徴とする上記迅速診断装置。
【請求項２】
クリップ部分(17)が、2つのバネ脚(13, 14)の間で弾性的に配置されているロック用本体(8)のバネタング(18)上に形成されていることを特徴とする、請求項１に記載の迅速診断装置。
【請求項３】
バネタング(18)がクランク(33)を有して形成されていることを特徴とする、請求項２に記載の迅速診断装置。
【請求項４】
テストストリップ(31)の方に面するバネタング(18)の面上に支持用ウェブ(12)が延びていることを特徴とする、請求項２に記載の迅速診断装置。
【請求項５】
クリップ部分(17)の側面(22, 23)に対面して位置するストップ(15, 16)が、バネ要素(8)のバネ脚(13, 14)上に形成されていることを特徴とする、請求項２に記載の迅速診断装置。
【請求項６】
テストストリップ(31)が押し込み用開口部(4)の中に挿入されたとき、クリップ部分(17)が2つのストップ(15, 16)の間に配置されて、それらの横方向(32)における反りを阻むことを特徴とする、請求項５に記載の迅速診断装置。
【請求項７】
テストストリップ(31)が存在しない第２のクリップ部分位置(25)において、クリップ部分(17)がストップ(15, 16)の反り(32)を許し、カバーまたはフラップ要素(3)をロックから外すことができることを特徴とする、請求項５に記載の迅速診断装置。
【請求項８】
カバーまたはフラップ要素(3)上のクリップ式嵌め込み箇所(10, 11)の中に挿入することができるペグ(19, 20)がバネ脚(13, 14)上に配置されていることを特徴とする、請求項２に記載の迅速診断装置。
【請求項９】
バネ脚(13, 14)上のストップ(15, 16)が出っ張り(27)を有して形成されていることを特徴とする、請求項５に記載の迅速診断装置。
【請求項１０】
ペグ(19, 20)およびストップ(15, 16)が、バネ脚(13, 14)上で互いにずらされて配置されていることを特徴とする、請求項５および８に記載の迅速診断装置。
【請求項１１】
ロック用本体(8)がカバーまたはフラップ要素(3)中に配置されていることを特徴とする、請求項１に記載の迅速診断装置。
【請求項１２】
ロック用本体(8)が装置ハウジング(2)中に収容されていることを特徴とする、請求項１に記載の迅速診断装置。
【発明の詳細な説明】
【技術分野】
【０００１】
本発明は、加熱要素を有し、周囲条件の影響に曝される迅速診断装置に関し、詳細には、迅速診断装置の中にテストストリップ(被検細片)が挿入されたときカバー要素がロックされる迅速診断装置に関する。
【従来技術】
【０００２】
テストストリップの評価を行うのに今日広く用いられている種類の迅速診断装置の場合、それが非常に長期間使用されると、迅速診断装置中に使われている加熱要素のよごれが起る。加熱要素を配置しておくのはテストストリップをある特定の温度にもってくるのに必要であり、そうすることにより、測定される試料の最適な評価を可能としている。時間が経つと、迅速診断装置の装置ハウジングの内部に収容されている加熱要素上に粒子が堆積するので、時々取り除かなければならないが、これは、加熱要素上への粒子の堆積が増加すると、その効率が損なわれるかあるいは加熱要素の電流消費が大きくなり過ぎるからである。迅速診断装置の装置ハウジングの内部に収容されている加熱要素を時々きれいにするためには、装置ハウジングの中に嵌め込まれたカバー要素またはフラップ要素を取り外すことが必要である。それゆえ、装置ハウジングは、一般に、カバーまたはフラップとして設計された、装置ハウジングから取り外すことができるシート様要素を具備している。この取り外し可能なシート様要素はまた、特に、光学的手段により被検要素もしくはテストストリップの評価が行われる光学的測定装置の場合、その測定を大きく損ない得る周囲光の装置ハウジング内側への侵入を防ぐことを可能にしている。
【０００３】
一般に、装置ハウジングの内側の中に押し込まれるテストストリップのための押し込み用開口部が配置されている迅速診断装置の装置ハウジング面上には、カバー要素またはフラップ要素により閉じることができるハウジング開口部が配置されている。
【０００４】
迅速診断装置の内部で評価が行われることになっているテストストリップが押し込まれるとき、その装置ハウジングを閉じているカバーまたはフラップが不注意にあるいは故意に開けられるという個別の事例が在るということが明らかになったが、これは間違った測定、すなわちハウジングの内側の中に押し込まれたテストストリップの欠陥ある評価、に至る。
【０００５】
この間違った測定は、この迅速診断装置の装置ハウジングの前面上にある開口部のカバーまたはフラップを取り外したために、評価が行われるテストストリップの周囲において突然の温度変化が起るという事実に帰因する。ハウジング開口部にカバー要素またはフラップ要素がないと周囲空気の侵入を許すが、これは装置ハウジングの内側で加熱要素によりつくられる温度レベルに大きく影響し、その結果、温度が変化している周囲条件の下で評価されるテストストリップは、使いものにならない検査結果をもたらし得る。カバー要素が存在しないと、特に光学的測定装置の場合、周囲光が装置ハウジングの内側に入って妨害することも考えられ、これは光学的に評価が行われる被検要素の評価を相当に損なう。
【０００６】
測定に欠陥があること以外に、測定が異常停止することも起こり得る。
【発明の開示】
【発明が解決しようとする課題】
【０００７】
テストストリップの評価が行われる迅速診断装置の上記欠点に対して、本発明は、迅速診断装置を、テストストリップの評価中に、不注意にまたは何気なく開くことを防ぐこと、また装置の内側に環境からの影響が入って乱さないようにすることを目的になされたものである。
【課題を解決するための手段】
【０００８】
本発明によれば、上記目的は、装置ハウジングを有する迅速診断装置であって、その装置ハウジング上には、その迅速診断装置の内部で評価が行われるテストストリップのための押し込み用開口部が設けられており、またその装置ハウジング上には、カバーまたはフラップ要素により閉じることができるハウジング開口部が形成されており、そのカバーまたはフラップ要素にはロック用本体が取り付けられている迅速診断装置において、上記ロック用本体が、クリップ部分を有するバネ要素として形成されており、このクリップ部分が、テストストリップが押し込み用開口部の中に押し込まれたときこのバネ要素をロックする位置をとることを特徴とする上記迅速診断装置により達成される。
【０００９】
本発明により提案される解決策は、迅速診断装置のハウジングを測定操作中に何気なく開くことが防がれている迅速診断装置を提供するものである。本発明によればこの目的のために用いられるのが、評価を行うために押し込み用開口部の中に押し込まれるテストストリップであり、このテストストリップはバネ要素のクリップ部分を反らさせ、その結果、ハウジング上のカバーまたはフラップ要素を開けるのに必要とされる、カバー要素がロックから外れることが阻まれる。本発明により提案される、押し込み用開口部の中に押し込まれて迅速診断装置の内部で測定が行われるテストストリップによりロックをすることは、ハウジング開口部を閉じているカバーまたはフラップ要素の下側面にクリップ式でしっかり留められたバネ要素を用いることで行われる。
【００１０】
カバーまたはフラップ要素の下側面にクリップ式でしっかり留めることができる上記バネ要素は、有利には、合流してバネタング(舌)になるクリップ部分、および２つのバネ脚を有する。このバネ要素を、カバーまたはフラップ要素の下側面上にある対応する受入用開口部の中にクリップ式でしっかり留めることができるペグ要素が、このバネ脚上のストップ領域に形成されていてもよい。このバネ要素は、別の形態として、装置ハウジング中に固定されていてもよい。
【００１１】
基本的にこのバネ要素の２本の脚の間に延びるクリップ要素はクランク形態のものであってよく、また、テストストリップの方に面しているその面側には、テストストリップを迅速診断装置ハウジング内側の中に押し込むときの動きを助けることができる支持用ウェブがあってもよい。
【００１２】
本発明による解決法は、テストストリップが受入用スロットに挿入されたとき、２つのバネ脚の間に位置するクリップ部分が反らされ、その結果、カバーまたはフラップ要素の下側面上にあるバネ要素の互いに平行に走る２本のバネ脚上にあるストップの横方向のロックを外す動きが阻まれるという効果を達成する。一方、テストストリップが挿入用スロットの中に挿入されていない場合は、２つのバネ脚の間に配置されたクリップ部分は、テストストリップが挿入される領域の中に突き出ている。このために、２つのバネ脚上で互いに対面して位置するように配置されている２つのストップはクリップ部分に面して向かうということはなく、横方向のロックを外す動きをとることができ、その結果、カバー要素を迅速診断測定装置のハウジング本体のハウジング開口部から取り外すことができる。
【発明を実施するための最良の形態】
【００１３】
本発明を図面に基づいてさらに詳細に説明する。
【００１４】
図1は、迅速診断装置の装置ハウジングを斜視図で表わすものである。
【００１５】
例えば図1に示されている迅速診断装置は、装置ハウジング2を有している。装置ハウジング2に形成されている装置ハウジング開口部は、カバーまたはフラップ要素により閉じられている。カバーまたはフラップ要素3の下には、迅速診断装置1の内部で評価が行われるテストストリップを押し込むことができるスロットの形状をした押し込み用開口部4がある。テストストリップのための押し込み用開口部4は片方ではカバーまたはフラップ要素3の一部により境界がつくられているか、また他方では平坦に形成された押し込み用タング5により境界がつくられている。装置ハウジング2の中に押し込まれるテストストリップのための押し込み用開口部4は装置ハウジング2の前面6に配置されており、装置ハウジングの後面は符号7で示されている。図1による迅速診断装置1の配置形態ではその前面6上に形成されている押し込み用開口部4は、同じようにその後面7上に形成することもできよう。
【００１６】
図2は、ロック用本体が取り付けられている、ハウジング開口部を閉じるためのカバーまたはフラップ要素の下側面を示すものである。
【００１７】
図2は、カバーまたはフラップ要素の下側面9に、ロック用本体8として形成されているロック用本体が収容されているのを示すものである。別の形態として、このロック用本体は装置ハウジング2中に固定されていてもよい。バネ要素として形成されているこのロック用本体8には、第１のバネ脚13および第２のバネ脚14が形成されている。この２つのバネ脚13および14はバネタング18に平行して延び、このバネタングの末端部にはクリップ部分17が形成されている。バネタング18には、クランク33が設けられていてもよい。図2に示されておりまたロック用本体として働くバネ要素8のクランク33を経て上の方に突き出ている領域には、テストストリップと接触するための１つまたは複数の支持用ウェブ12が形成されているのが好ましい。
【００１８】
ロック用本体として働くバネ要素8の２つのバネ脚13および14上にはそれぞれペグ19および20が配置されていてもよい（図4および図5を比較されたい）。ロック用本体として用いられるロック用本体8は好ましくは１個取りまたは多数個取りの射出成型法によりプラスチック射出成型要素として製造され、これによってロック用本体は１つの成形片として形成することができ、また、クランク33が設けられたバネタング18のみならず、そこに形成される支持用ウェブ12、第１のバネ脚13および第２のバネ脚14ならびに好ましくはこの後者の上に成型されるペグ19および20を１回の操作で射出成型することが可能である。
【００１９】
図4および図5に示されているペグ19および20は、カバーまたはフラップ要素3の下側面9のカバー上の第１のクリップ式嵌め込み箇所10および第２のクリップ式嵌め込み箇所11の中にクリップ式に嵌め込まれる。
【００２０】
図2に示されている、ロック用本体として働くロック用本体8は、その下側面が示されている。ロック用本体8は、テストストリップに対面して位置する。
【００２１】
図3は、迅速診断装置の装置ハウジングの前縁部におけるむき出しにされたハウジング開口部を拡大された尺度で示すものである。
【００２２】
迅速診断装置1の装置ハウジング2の前面6上には楕円形状をしたハウジング開口部30が形成されている。ハウジング開口部30の下側面には、図3には示されていないテストストリップのための押し込み用タング5が形成されている。この挿入用タング5の上には、バネタング18のクリップ部分17が、第２のクリップ部分位置25に位置しており、この位置ではハウジング開口部30から取り外されるカバーまたはフラップ要素3を開放することが可能である。図3は、前部末端部がクリップ部分17により形成されているバネタング18がクランク33を有していることを示すものである。バネタング18のクランク33は、押し込み用開口部4の中に押し込まれるテストストリップに対する、バネタング18およびこの上に形成された支持用ウェブ12（図2を比較されたい）の弾性特性を向上させる。このバネタング18の両側に延びるバネ脚13および14上にはストップ15、16がそれぞれ形成されている。ストップ15、16はバネタング18の側面22、23の方に面し、このバネタングは、上記押し込み用開口部4の中にテストストリップが押し込まれるやいなや、それぞれ図4および図5に示されている矢印21により示される動きの方向に反らされる。
【００２３】
図3に示されているバネタング18のクリップ部分17が第２のクリップ位置25にあるときは、クリップ部分17は、バネ脚13および14の互いに対面するストップ15、16の下に位置する。これにより、ハウジング開口部30からカバーまたはフラップ要素3を取り外すのにそのロックを外すためのバネ脚の横方向の反りが許される（図5を比較されたい）。
【００２４】
互いに平行に配置されたバネ脚13および14の外側面上にはそれぞれ第１のペグ19および第２のペグ20が成形されており、これでもって、ロック用本体として働くロック用本体8を、カバーまたはフラップ要素の下側面9上の対応するクリップ式嵌め込み箇所10、11の中にクリップ式に嵌め込むことができる（図2を比較されたい）。
【００２５】
図4は、テストストリップにより反らされたバネ要素のクリップ部分を示すものである。
【００２６】
図4は、装置ハウジング2の前面6にあるハウジング開口部30の下側領域にある押し込み用開口部4の中にテストストリップ31が押し込まれた状態を示すものである。テストストリップ31が押し込まれると、それはその下側面を押し込み用タング5の上に置いてとどまる（図3を比較されたい）。テストストリップ31の上側面は、バネタング18の下側面上に形成された支持用ウェブ12と接触している（図2を比較されたい）。テストストリップ31が押し込み用タング5に沿って完全に押し込まれると、図4に示されるように、バネタング18は、その上に形成されたそのクリップ部分17を第１のクリップ位置24の中に置いて反らされた状態となる。ハウジング開口部30に在る図4には示されていないカバーまたはフラップ要素のロック位置を形成するこの第１のクリップ位置24では、バネタング18の第１の側面22は第１のストップ15に対面して位置する。同時に、バネタング18の第２の側面23は第２のストップ16に対面して位置する。バネタング18のクリップ部分17は、図4に示されている第１のクリップ位置24にあるバネ脚13および14の横方向の反りを阻み、その結果、テストストリップ31が押し込み用開口部4の中に押し込まれた場合、カバー要素3のロックを外すこと、すなわち図3に示されているハウジング開口部30からそれを取り外すことは、故意であれあるいは不注意であれ、もはや可能ではない。その結果、ハウジング開口部30が測定操作中に開かれて、その装置ハウジング2内の温度が測定操作中に突然変わるがために、迅速診断装置1内部に押し込まれたテストストリップ31を用いて進行中の測定操作が異常停止されるあるいは誤った測定が行われるということが防がれる。
【００２７】
図4はまた、バネ脚13および14の外側側面上に第１のペグ19および第２のペグ20がそれぞれ成型されていることを示している。バネ脚13、14の内側側面上に形成されており、バネタング18の方に面しているストップ15および16との関係に関しては、第１のペグ19および第２のペグ20はバネ脚13および14の外側側面上に位置し、第１のストップ15および第２のストップ16とはずらされて位置している。ロック用本体として働くバネ要素8のバネ脚13および14は、図4の作図面に対して垂直に延びている。符号21は、クリップ部分17、すなわちバネ脚の弾性に対応して自由に動くことができる動き方で第１のバネ脚13および第２のバネ脚14の間で動くことができるバネ要素8のバネタング18の前部面、の動きの方向を示している。バネタング18によって、押し込み用開口部4の中に押し込まれるテストストリップ31にかけられる力は、バネタング18に形成することができるクランク33の度合いにより決めることができる（図3を比較されたい）。
【００２８】
図5では、ロック用本体として働くバネ要素は、その第２のクリップ位置、すなわちカバーまたはフラップ要素の開放を許す位置、にあることを示している。
【００２９】
図1の装置ハウジング2の押し込み用開口部4中で押し込み用タング5上にテストストリップ31がない場合、図5にそのクリップ部分17が示されているバネタング18を、動き21の方向に反らす力はない。バネタング18もしくは場合によってはクランクを設けたバネタング18とクリップ部分17の、テストストリップの方に面している面上にある支持用ウェブ12は、押し込み用タング5の上方のある位置にとどまる。バネ要素8の上記場合によってはクランクを設けてあってもよいバネタング18のクリップ部分17は動き21の方向に反らされないので、このクリップ部分は動いてその側面22、23を第１のストップ15と第２のストップ16の間にもってくることはない。従って、第１のバネ脚13および第２のバネ脚14は、図の両方向矢印で示されている横方向の反り32をすることができる。図5に示されているこの第２のクリップ位置25は、図3にも示されている第２のクリップ位置25に対応する。
【００３０】
バネ脚13および14の内側側面に形成されているストップ15および16の横方向の反りの動きは符号32によって示されている。第１のバネ脚13および第２のバネ脚14の外側側面には第１のペグ19および第２のペグ20が形成されており、このペグは、カバーまたはフラップ要素3の下側面9上で、バネ脚14および13の、それぞれそのクリップ式嵌め込み箇所10および11からの横方向の反り32があると、外れることができる。カバー3を外すには、ペグ19、20を、それぞれそのクリップ式嵌め込み箇所10および11から後に動かして出す。バネ要素として形成されているロック用本体8に本来備わっている特質である弾性力により、第１のバネ脚13および第２のバネ脚14上に形成されている第１および第２のペグ19、20は、その最初の位置に素早く戻る。ロック用本体として働くロック用本体8は、カバー要素3をハウジング開口部30から取り外すと、図3に示されている位置にとどまることはなく、この要素と一緒に上の方に移動する。
【００３１】
ロック用本体として働くバネ要素8の第１のバネ脚13および第２のバネ脚14のそれぞれ内側側面上にあるストップ15および16には、出っ張り27が形成されている。第１および第２のストップ15および16の出っ張り27と、バネタング18の前部末端部にあるクリップ部分17の幅との合計は、基本的には、図4の押し込み用タング5上に押し込まれるテストストリップ31の幅に対応する。押し込み方向26におけるテストストリップ31の押し込みを容易にするため、出っ張り27はそれぞれ第１のストップ15および第２のストップ16に関して幾分大き目につくるが、この結果、１回の動作で行うことができる、迅速診断装置1の前面6にある押し込み用開口部4の中へのテストストリップ31の押し込みが容易となる。
【００３２】
迅速診断装置の内部で用いられる加熱要素は、評価ストリップまたはテストストリップの温度を制御するのに使われる。カバー要素3により、加熱要素は汚れから守られており、また装置ハウジングの内側は、制御された温度に保たれなければならない評価ストリップまたはテストストリップの測定を損ない得る周囲空気の侵入から守られている。この迅速診断装置が純粋に光学的な方法により動作する装置である場合は、カバー要素3により、測定中に迅速診断装置の装置ハウジングの中に周囲光が入って妨害するということを防ぐことができる。本発明が提案する、テストストリップまたは評価ストリップ31でロックすること自体は、テストストリップの評価が電気化学的手段によって行われるような場合もすることができる。測定装置上の対応する接触部分は、そのような診断装置上で用いられるカバーまたはフラップ要素3により守ることができる。
【図面の簡単な説明】
【００３３】
【図１】迅速診断装置の装置ハウジングの平面図を示すものである。
【図２】装置ハウジング開口部を閉じるための、ロック用本体がついているカバー要素の下側面を示すものである。
【図３】拡大尺度で表わされた、装置ハウジング開口部がむき出しにされた装置ハウジングの前縁部の図を示すものである。
【図４】挿入されたテストストリップがもたらすロック位置にあるロック用本体のクリップ部分を示すものである。
【図５】カバーまたはフラップ要素のロックが外れることを許す位置にあるロック用本体のクリップ部分を示すものである。
【符号の説明】
【００３４】
1   迅速診断装置
2   装置ハウジング
3   カバー/フラップ要素
4   テストストリップのための押し込み用開口部
5   押し込み用タング
6   前面
7   後面
8   ロック用本体
9   カバーの下側面
10  第１のクリップ式嵌め込み箇所
11  第２のクリップ式嵌め込み箇所
12  テストストリップ用の支持用ウェブ
13  第１のバネ脚
14  第２のバネ脚
15  第１のストップ
16  第２のストップ
17  クリップ部分
18  バネタング
19  第１のペグ
20  第２のペグ
21  クリップの動きの方向
22  クリップの第１の側面
23  クリップの第２の側面
24  第１のクリップ位置（カバーのロック位置）
25  第２のクリップ位置（カバーの開放）
26  テストストリップの押し込み方向
27  出っ張り
30  ハウジング開口部
31  テストストリップ
32  ストップ15、16の動きの方向、反り方向
33  バネタングのクランク
【図１】
2005172821.tif 000003
【図２】
2005172821.tif 000004
【図３】
2005172821.tif 000005
【図４】
2005172821.tif 000006
【図５】
2005172821.tif 000007
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
装置ハウジング(2)を有する迅速診断装置であって、その装置ハウジング上には、迅速診断装置(1)の内部で評価が行われるテストストリップ(31)のための押し込み用開口部(4)が設けられており、またその装置ハウジング(2)上には、カバーまたはフラップ要素(3)により閉じることができるハウジング開口部(30)が形成されており、そのカバーまたはフラップ要素(3)にはロック用本体(8)が取り付けられている迅速診断装置において、ロック用本体(8)が、クリップ部分(17)を有するバネ要素として形成されており、そのクリップ部分が、テストストリップ(31)が押し込み用開口部(4)の中に押し込まれたときそのバネ要素をロックする位置(24)をとることを特徴とする上記迅速診断装置。
【請求項２】
クリップ部分(17)が、バネ脚(13, 14)の間に弾性的に配置されているロック用本体(8)のバネタング(18)上に形成されていることを特徴とする、請求項１に記載の迅速診断装置。
【請求項３】
クリップ部分(17)の側面(22, 23)に対面して位置するストップ(15, 16)が、バネ要素(8)のバネ脚(13, 14)上に形成されていることを特徴とする、請求項２に記載の迅速診断装置。
【請求項４】
テストストリップ(31)が押し込み用開口部(4)の中に挿入されたとき、クリップ部分(17)がストップ(15, 16)の間に配置されて、それらの横方向(32)における反りを阻むことを特徴とする、請求項３に記載の迅速診断装置。
【請求項５】
テストストリップ(31)が存在しない第２のクリップ部分位置(25)において、クリップ部分(17)がストップ(15, 16)の反り(32)を許し、カバーまたはフラップ要素(3)をロックから外すことができることを特徴とする、請求項３に記載の迅速診断装置。
【請求項６】
カバーまたはフラップ要素(3)上のクリップ式嵌め込み箇所(10, 11)の中に挿入することができるペグ(19, 20)がバネ脚(13, 14)上に配置されていることを特徴とする、請求項２に記載の迅速診断装置。
【請求項７】
ロック用本体(8)がカバーまたはフラップ要素(3)中に配置されていることを特徴とする、請求項１に記載の迅速診断装置。
【請求項８】
ロック用本体(8)が装置ハウジング(2)中に収容されていることを特徴とする、請求項１に記載の迅速診断装置。
【外国語明細書】
2005172821000001.pdf